(57)【要約】【課題】手軽に名刺を作成できる名刺プリントシステムを提供する。【解決手段】名刺プリントシステム１０では、携帯電話１２を操作して、名刺に記載する各項目の内容を入力することで、各項目の種類と内容とが対応付けされた名刺情報が生成され、２次元バーコード形態でＬＣＤ２２に表示される。名刺プリンタ１８は、撮像部５６によりバーコード及び、名刺に印画する顔画像を撮像し、画像解析部８８によりバーコードに記録された名刺情報を読み取る。そして、名刺プリンタ１８は、顔画像と、名刺情報に含まれる各項目の内容とを所定のレイアウトでメディア１４に印画して、名刺１６を作成する。【選択図】        図９
2007108875.tif 000002
【特許請求の範囲】
【請求項１】
名刺に記載する複数種類の項目について、各項目の種類とその内容とを対応付けした名刺情報を送信する送信手段を備えた携帯機器と、
前記携帯機器から送信された名刺情報を受信する受信手段、及び、名刺情報に含まれる各項目の内容を、名刺サイズのメディアに対し所定のレイアウトで印画する印画手段を備えたプリンタとから構成されることを特徴とする名刺プリントシステム。
【請求項２】
前記携帯機器は、名刺に記載する複数種類の項目の内容を入力するための入力手段と、各項目の種類とその内容とを対応付けして名刺情報を生成する名刺情報生成手段と有することを特徴とする請求項１記載の名刺プリントシステム。
【請求項３】
前記携帯機器は、撮影レンズを透過した被写体像をデジタルな画像データとして取得する撮像手段を備え、前記撮像手段により撮像された名刺作成者の顔画像データを含む名刺情報を、前記プリンタへ送信するとともに、
前記プリンタは、前記顔画像データに基づく顔画像を前記メディアに印画することを特徴とする請求項１または２記載の名刺プリントシステム。
【請求項４】
前記送信手段は、名刺情報を光学的に読み取り可能なコード情報に変換する情報変換手段と、前記コード情報を表示するための表示手段とを有し、
前記受信手段は、前記表示手段に表示されたコード情報を撮像する撮像手段と、コード情報を撮像した画像を解析することで名刺情報に含まれる各項目の種類及び内容を読み取る画像解析手段とを有することを特徴とする請求項１または２記載の名刺プリントシステム。
【請求項５】
前記プリンタは、前記撮像手段により名刺作成者の顔画像を撮像し、撮像された顔画像を前記メディアに印画することを特徴とする請求項４記載の名刺プリントシステム。
【請求項６】
前記プリンタは、印画予定の名刺の状態をプレビュー表示するモニタを有することを特徴とする請求項１〜５いずれか１つ記載の名刺プリントシステム。
【発明の詳細な説明】
【技術分野】
【０００１】
本発明は、名刺をプリントするプリントシステムに関するものである。
【背景技術】
【０００２】
ビジネスの場などにおいて名刺が広く用いられている。名刺は、例えば、パソコンを用いて記載する項目の入力、及び、各項目のレイアウトの決定を行い、パソコンに接続されたプリンタによりプリントすることで作成できる。また、下記特許文献１には、パソコンなどのメモリに記憶された社員名簿から、名刺に記載する項目の情報を抽出し、これら各項目を予め設定されたレイアウトでプリントすることで手軽に名刺を作成できるようにした装置が記載されている。
【特許文献１】特開２０００−２４７０６９号公報
【発明の開示】
【発明が解決しようとする課題】
【０００３】
しかしながら、従来の装置は、手近な場所にパソコンが設置されていないと、名刺の作成ができないといった問題があった。
【０００４】
本発明は、パソコンによらず手軽に名刺を作成できる名刺プリントシステムを提供することを目的としている。
【課題を解決するための手段】
【０００５】
上記目的を達成するために、本発明の名刺プリントシステムは、名刺に記載する複数種類の項目について、各項目の種類とその内容とを対応付けした名刺情報を送信する送信手段を備えた携帯機器と、前記携帯機器から送信された名刺情報を受信する受信手段、及び、名刺情報に含まれる各項目の内容を、名刺サイズのメディアに対し所定のレイアウトで印画する印画手段を備えたプリンタとから構成されることを特徴としている。
【０００６】
前記携帯機器は、名刺に記載する複数種類の項目の内容を入力するための入力手段と、各項目の種類とその内容とを対応付けして名刺情報を生成する名刺情報生成手段と有することが好ましい。
【０００７】
また、前記携帯機器は、撮影レンズを透過した被写体像をデジタルな画像データとして取得する撮像手段を備え、前記撮像手段により撮像された名刺作成者の顔画像データを含む名刺情報を、前記プリンタへ送信するとともに、前記プリンタは、前記顔画像データに基づく顔画像を前記メディアに印画することがこのましい。
【０００８】
さらに、前記送信手段は、名刺情報を光学的に読み取り可能なコード情報に変換する情報変換手段と、前記コード情報を表示するための表示手段とを有し、前記受信手段は、前記表示手段に表示されたコード情報を撮像する撮像手段と、コード情報を撮像した画像を解析することで名刺情報に含まれる各項目の種類及び内容を読み取る画像解析手段とを有するものでもよい。
【０００９】
前記プリンタは、前記撮像手段により名刺作成者の顔画像を撮像し、撮像された顔画像を前記メディアに印画することが好ましい。
【００１０】
また、前記プリンタは、印画予定の名刺の状態をプレビュー表示するモニタを有することが好ましい。
【発明の効果】
【００１１】
本発明によれば、名刺に記載する各項目の種類とその内容とを対応付けした名刺情報を、携帯電話などの携帯機器からプリンタに送り、プリンタが所定のレイアウトで印画することで名刺が作成されるため、手軽で便利である。
【００１２】
また、名刺に記載する各項目の内容の入力及び名刺情報の生成を、普段使い慣れた携帯電話で行うようにすることで、より手軽に名刺が作成できる。
【００１３】
さらに、携帯機器に設けられた撮像装置により撮像された名刺作成者の顔画像を名刺情報としてプリンタに送り、プリンタが顔画像を名刺にプリントすることで、手軽に顔画像付きの名刺を作成できる。
【００１４】
また、携帯機器が名刺情報をコード情報に変換して表示手段に表示し、このコード情報をプリンタに設けられた撮像装置により撮像し、撮影された画像に基づいて名刺情報を読み取るようにすることで、携帯機器とプリンタとを接続する手間が省け、手軽に名刺を作成できる。
【００１５】
さらに、プリンタに設けられた撮像装置により撮像された名刺作成者の顔画像を名刺にプリントすることで、手軽に顔画像付きの名刺を作成できる。
【００１６】
また、印画予定の名刺の状態をプレビュー表示するモニタを設けることで、できあがりの状態に納得したうえで名刺を作成でき、安心かつ便利である。
【発明を実施するための最良の形態】
【００１７】
図１に、本発明を適用した名刺プリントシステムの構成図を示す。名刺プリントシステム１０は、名刺に記載する項目の内容を入力する携帯電話１２と、入力された各項目の内容を名刺サイズのメディア１４にプリントすることで名刺１６を作成する名刺プリンタ１８とから構成される。
【００１８】
図１において、携帯電話１２には、電話器本体２０の前面に、液晶ディスプレイ（ＬＣＤ）２２、操作部２４、マイク２６、スピーカ２８が設けられている。携帯電話１２はインターネットへの接続機能を備え、ＬＣＤ２２には、通話時間や通話先の電話番号に加え、Ｗｅｂ画面や電子メールの文面など各種画面が表示される。操作部２４には、複数の操作ボタンが設けられ、これらを操作することで各種操作を行うことができる。マイク２６は、通話音声を入力するために設けられている。スピーカ２８は、通話音声や、着信音、アラーム音などを出力する。
【００１９】
図２において、携帯電話１２の内部には、通信部３０と、ＣＰＵ３２とが設けられている。通信部３０は、電話回線など周知の通信ネットワークに接続され、通話や電子メールの送受信など、携帯電話１２が他機器との間で行う情報の送受信を中継する。ＣＰＵ３２は、携帯電話１２の各部に接続されている。ＣＰＵ３２は、携帯電話１２を統括的に制御するために設けられ、メモリ３４に記憶された制御プログラムにしたがって接続された各部を駆動制御する。
【００２０】
また、ＣＰＵ３２には、メモリ３４内に、名刺作成に用いられるバーコードを生成するためのバーコード生成プログラムが記憶されている。バーコード生成プログラムは、例えば、インターネットを介してメモリ３４にダウンロードされる。ＣＰＵ３２は、操作部２４が操作され、バーコード生成プログラムが起動されると、図３に示すような名刺情報入力画面３６をＬＣＤ２２に表示する。
【００２１】
入力画面３６には、入力欄４０と、入力完了タグ５０が表示される。入力欄４０は、氏名、会社名、所属部署名、住所、電話番号、ＦＡＸ番号など名刺に記載する複数種類の項目について、その内容を入力するためのものであり、操作部２４を操作することで各項目の内容を入力できる。入力完了タグ５０が選択されると、ＣＰＵ３２は、各項目の種類と入力された内容とを対応付けした名刺情報を生成する。続いて、ＣＰＵ３２は、生成した名刺情報を光学的に読み取り可能な２次元バーコードに変換し、図４に示すように、変換した２次元バーコード５２をＬＣＤ２２に表示する。
【００２２】
なお、２次元バーコードとしては、１次元バーコードを複数段に重ねたスタック方式のものや、縦横にモザイク状シンボルを形成するマトリック方式のものがあり、さらに各方式のなかにも複数種類の方式が存在するが、本発明はこれらいずれの方式を用いてもよい。また、情報量は劣るが、１次元バーコードを用いることもできる。
【００２３】
一方、図１に示すように、名刺プリンタ１８は、プリンタ本体５４の上面に、撮像部５６（図５参照）を構成する撮影レンズ５８が露呈されている他、操作部６０とモニタ６２とが設けられている。また、プリンタ本体５４の側面には、作成された名刺を払い出すための名刺払い出し口６４が設けられている。
【００２４】
操作部６０は、電源のオンオフを行うための電源ボタン６６や、各種項目の決定を行うための決定ボタン６８、名刺に印画する顔画像を撮影する際に操作される撮影指示ボタン７０などが設けられ、各種操作を行うことができる。モニタ６２には、撮影レンズ５８を透過した被写体画像がスルー表示される他、印画予定の名刺の状態を示すプレビュー画像が表示される。
【００２５】
名刺プリンタ１８の構成を示す図５において、名刺プリンタ１８には、撮像部５６、フレームメモリ７２、画像処理部７４、プリント部７６が設けられ、これらがデータバス７８を介して制御部８０に接続されている。
【００２６】
撮像部５６は、撮影レンズ５８、ＣＣＤイメージセンサ（ＣＣＤ）８２、信号処理回路８４とから構成される。ＣＣＤ８２は、撮影レンズ５８によって結像された被写体像を電気的な撮像信号に変換する固体撮像素子であって、撮影レンズ５８の背後に配置される。信号処理回路８４は、ＣＣＤ８２から出力された撮像信号に対して増幅、ノイズ除去、Ａ／Ｄ変換を施し、デジタル化された画像データを出力する。なお、ＣＣＤ以外の固体撮像素子、例えば、ＣＭＯＳイメージセンサを用いて撮像部を構成してもよい。
【００２７】
撮像部５６から出力された画像データは、データバス７８を介してフレームメモリ７２に記憶される。フレームメモリ７２は、画像処理部７４が画像データに対して各種処理を行うための作業用メモリであり、画像データが一時的に保管される。
【００２８】
画像処理部７４は、フレームメモリ７２に記憶された画像データに対して画質補正処理、γ補正処理、ホワイトバランス補正処理などを施した後、処理済みの画像データを表示用の画像に変換し、モニタ６２にスルー表示させる。また、画像処理部７４は、スルー表示中に撮影指示ボタン７０が押下されると、処理済みの画像データを画像記憶部８６に記録する。
【００２９】
さらに、画像処理部７４には、画像解析部８８が設けられている。画像解析部８８は、フレームメモリ７２に記憶された画像データを解析し、バーコード５２のシンボルパターンを調べることで、バーコード５２から名刺情報を読み取る。画像解析部８８により読み取られた名刺情報は、制御部８０に出力される。
【００３０】
プリント部７６は、露光方式のプリンタから構成され、メディア装填室９０、搬送ローラ９２、印画ヘッド９４を備えている。メディア装填室９０には、名刺１６のもとになる白紙状態のメディア１４が装填される。メディア１４としては、名刺サイズのインスタントフイルムが用いられる。搬送ローラ９２は、メディア装填室９０から１枚ずつメディア１４を取り出し、払い出し口６４へ向けて搬送する。印画ヘッド９４は、搬送中のメディア１４を露光させ、名刺情報、及び、後述する顔画像を印画する。これにより、名刺１６が作成され、作成された名刺１６が払い出し口６４から払い出される。なお、プリント部は、露光方式のプリンタ以外にも、サーマルプリンタ、インクジェットプリンタ、レーザープリンタなど周知の各種プリンタから構成できる。
【００３１】
制御部８０は、名刺プリンタ１８を統括的に制御するために設けられ、ＲＯＭ９６に記憶された制御プログラムを作業用のメモリであるＲＡＭ９８に読み出し、制御プログラムにしたがって接続された各部を駆動制御する。制御部８０は、名刺プリンタ１８の電源がオンされると、例えば、図６に示すような案内画面１００をモニタ６２に表示する。この案内画面１００が表示された状態で、決定ボタン６８が押下されると、制御部８０は、撮像部５６を駆動して撮像を開始する。また、制御部８０は、画像解析部８８を駆動して撮像により得られた画像データを解析してバーコード５２に記録された名刺情報の読み取りを行う。
【００３２】
名刺情報の読み取りが完了すると、制御部８０は、例えば、図７に示すような案内画面１０２をモニタ６２に表示する。この案内画面１０２が表示された状態で、決定ボタン６８が押下されると、制御部８０は、撮像部５６を駆動して撮像を開始する。この後、撮影指示ボタン７０が押下され、画像データが画像記憶部８６に記録されると、制御部８０は、例えば、図８に示すような確認画面１０４を、モニタ６２に表示する。
【００３３】
確認画面１０４には、プレビュー画像１０６と、案内メッセージとが表示される。プレビュー画像１０６は、バーコード５２から読み取った名刺情報に含まれる各項目の内容と、撮像部５６により撮像され、画像記憶部８６に記録された画像データに基づく画像とを所定のレイアウトで配置したものであり、プリント予定の名刺の状態を表している。そして、この確認画面１０４が表示された状態で決定ボタン６８が押下されると、制御部８０は、プリント部７６を駆動して、プレビュー画像１０６に基づく画像をメディア１４に印画する。
【００３４】
以下、上記構成による本発明の作用について、図９に示すフローチャートをもとに説明する。名刺を作成するユーザーは、携帯電話１２を操作して、バーコード生成プログラムを立ち上げる。そして、ＬＣＤ２２に表示される入力画面３６（図３参照）にしたがって、入力欄４０に、氏名、会社名、所属部署名、住所、電話番号、ＦＡＸ番号など名刺に記載する各項目の内容を入力した後、入力完了タグ５０を選択する。入力完了タグ５０が選択されると、入力された各項目の種類と入力された内容とが対応付けされた名刺情報が生成される。続いて、名刺情報が２次元バーコードに変換され、ＬＣＤ２２に表示される（図４参照）。
【００３５】
次に、ユーザーは、名刺プリンタ１８の電源をオンする。そして、モニタ６２に表示される案内画面１００（図６参照）にしたがって、決定ボタン６８を押下した後、バーコード５２が表示されたＬＣＤ２２を撮影レンズ５８と対面させることで、バーコード５２に記録された名刺情報が読み取られる。続いて、ユーザーは、モニタ６２に表示される案内画面１０２（図７参照）にしたがって、決定ボタン６８を押下した後、モニタ６２に表示されるスルー画を確認しながら構図を決め、撮影指示ボタン７０を押下し、名刺に印画する顔画像を撮影する。
【００３６】
撮影指示ボタン７０が押下されると、撮影されたユーザーの顔画像と、バーコード５２から読み取られた名刺情報に含まれる各項目の内容とが所定のレイアウトで配置されたプレビュー画像１０６、並びに、プリント指示を促す案内メッセージとからなる確認画面１０４（図８参照）がモニタ６２に表示される。そして、この確認画面１０４が表示された状態で決定ボタン６８を押下することで、プレビュー画像１０６に基づく画像がメディア１４に印画され、名刺１６が作成される。作成された名刺１６は、払い出し口６４から払い出される。
【００３７】
なお、上記実施形態では、顔画像付きの名刺を作成する例で説明をしたが、撮像部で顔画像の撮像を行わずに、文字情報のみの名刺を作成するようにしてもよい。また、名刺に記載する項目は、上記実施形態で説明したものに限定されるものではなく適宜変更することができる。
【００３８】
さらに、上記実施形態では、名刺情報に含まれる各項目内容を、予め設定された１つのレイアウトで配置して名刺を作成する例で説明をしたが、本発明はこれに限定されるものではない。例えば、複数のレイアウトを予め設定しておき、これら複数のレイアウトの中からユーザーに好みのレイアウトを選択させるようにしてもよい。
【００３９】
また、上記実施形態では、携帯電話が生成したバーコードを、撮像部を備えた名刺プリンタにて読み取る例で説明をしたが、携帯電話が生成した名刺情報を、無線通信により名刺プリンタに送信してもよい。この場合、図１０に示す名刺プリントシステム１１０のように、携帯電話１１２及び名刺プリンタ１１４にそれぞれ無線通信ポート１１６、１１８を設ける。なお、図１０においては、上述した実施形態と同様の部材については同様の符号を付して説明を省略している。
【００４０】
図１０において、無線通信ポート１１６、１１８は、赤外線、Ｂｌｕｅｔｏｏｔｈ、無線ＬＡＮ、無線ＵＳＢなどにより情報の送受信を行う。携帯電話１１２のＣＰＵ１２０は、生成した名刺情報を、無線通信ポート１１６を介して名刺プリンタ１１４に送信する。名刺プリンタ１１４の制御部１２２は、無線通信ポート１１８を介して受信した名刺情報に含まれる各項目の内容を、所定のレイアウトでメディア１４に印画することによって名刺１６を生成する。このように、無線通信により携帯電話から名刺プリンタに名刺情報を送るようにしても上記実施形態と同様の効果を得ることができる。
【００４１】
なお、本例において、携帯電話として、カメラ付きの携帯電話を用い、携帯電話のカメラにて撮影した顔画像を名刺情報として名刺プリンタに送信してもよい。こうすれば、手軽に顔画像付きの名刺を作成することができる。
【００４２】
また、上記実施形態では、携帯電話により名刺情報を作成する例で説明をしたが、本発明はこれに限定されるものではない。例えば、パソコンにより生成した名刺情報を、予め携帯電話に記憶させておき、名刺を作成する際にこの名刺情報を携帯電話からプリンタに送るようにしてもよい。
【００４３】
なお、上記実施形態では、携帯機器として、携帯電話を用いる例で説明をしたが、本発明はこれに限定されるものではない。携帯機器として、例えば、ＰＤＡ（Ｐｅｒｓｏｎａｌ  Ｄｉｇｉｔａｌ  Ａｓｓｉｓｔａｎｃｅ）などを用いてもよい。
【図面の簡単な説明】
【００４４】
【図１】名刺プリントシステムの構成図である。
【図２】携帯電話の構成図である。
【図３】入力画面を表す説明図である。
【図４】携帯電話のＬＣＤに２次元バーコードが表示される様子を表す説明図である。
【図５】名刺プリンタの構成図である。
【図６】案内画面を表す説明図である。
【図７】案内画面を表す説明図である。
【図８】確認画面を表す説明図である。
【図９】名刺作成の流れを表すフローチャートである。
【図１０】無線通信により名刺情報を送信する名刺プリントシステムの構成図である。
【符号の説明】
【００４５】
１０、１１０  名刺プリントシステム
１２、１１２  携帯電話
１６  名刺
１８、１１４  名刺プリンタ
２２  ＬＣＤ
２４、６０  操作部
３２、１２０  ＣＰＵ
３４  メモリ
５２  バーコード
５６  撮像部
６２  モニタ
７４  画像処理部
７６  プリント部
８０、１２２  制御部
８８  画像解析部
１０６  プレビュー画像
１１６、１１８  無線通信ポート
【図１】
2007108875.tif 000003
【図２】
2007108875.tif 000004
【図３】
2007108875.tif 000005
【図４】
2007108875.tif 000006
【図５】
2007108875.tif 000007
【図６】
2007108875.tif 000008
【図７】
2007108875.tif 000009
【図８】
2007108875.tif 000010
【図９】
2007108875.tif 000011
【図１０】
2007108875.tif 000012